(57)【要約】  本発明は、少なくとも一つの周辺センサーによって危険個所、及び／或いは、工事現場を示すオブジェクトを認識する車線の領域内にあるマークされた危険個所、及び／或いは、工事現場を認識するための方法に関し、本発明は、−  周辺センサーにより信号装置によって検出し、−  該信号装置のポジションデータを割出し、−  周辺センサーによって捕捉された周辺データから、周辺ストラクチャーに関する周辺シナリオを割出し、該周辺シナリオの基準モデルと比較し、続いて、−  該基準モデルに、信号装置が示されない場合、或いは、該信号装置が、認識された信号装置のポジションデータとは異なるポジションデータを示す場合は、危険個所、及び／或いは、工事現場をマークする信号装置であるとすることを特徴としている。
2015535106.tif 000002
【特許請求の範囲】
【請求項１】
少なくとも一つの周辺センサーによって危険個所、及び／或いは、工事現場を示すオブジェクトを認識する方法であって、
−  周辺センサーにより信号装置によって検出し、
−  該信号装置のポジションデータを割出し、
−  周辺センサーによって捕捉された周辺データから、周辺ストラクチャーに関する周辺シナリオを割出し、該周辺シナリオの基準モデルと比較し、続いて、
−  該基準モデルに、信号装置が示されない場合、或いは、該信号装置が、認識された信号装置のポジションデータとは異なるポジションデータを示す場合は、危険個所、及び／或いは、工事現場をマークする信号装置であるとする
ことを特徴とする車線の領域内にあるマークされた危険個所、及び／或いは、工事現場を認識するための方法。
【請求項２】
基準モデルが、ナビゲーションを基にした情報から作成されることを特徴とする請求項１に記載の方法。
【請求項３】
危険個所、及び／或いは、工事現場をマークする信号装置を認識するために、工事現場特有、及び／或いは、危険個所特有の信号装置の特徴に関してオブジェクトの分類を実施することを特徴とする請求項１或いは２に記載の方法。
【請求項４】
基準モデルが、ナビゲーション・データベース内に保存されている道路網のデジタル地図データから作成される、但し、該デジタル地図データは、工事現場情報も有していることを特徴とする先行請求項のうち何れか一項に記載の方法。
【請求項５】
周辺センサーによって捕捉された走行レーンの推移、及び／或いは、認識された走行レーン情報を、危険個所、及び／或いは、工事現場をマークする信号装置の存在を示すインジケータとして用いることを特徴とする先行請求項のうち何れか一項に記載の方法。
【請求項６】
周辺センサーによって認識された交通標識に関する情報を、危険個所、及び／或いは、工事現場をマークする信号装置の存在を示すインジケータとして用いることを特徴とする先行請求項のうち何れか一項に記載の方法。
【請求項７】
周辺センサーとしてカメラシステムが採用されることを特徴とする先行請求項のうち何れか一項に記載の方法を実施するための手段。
【請求項８】
請求項７の手段を搭載した車両。
【発明の詳細な説明】
【技術分野】
【０００１】
本発明は、特許請求項１のプレアンブルに係る車線の領域内にあるマークされた危険個所、及び／或いは、工事現場を認識するための方法に関する。本発明は、更に、本発明に係る方法を実施するための手段、並びに、このような手段を備えた車両に関する。
【背景技術】
【０００２】
同種の発明である特許文献１からは、車線の領域内にあるマークされた危険個所、及び／或いは、工事現場を認識するために、車載されている電磁光線用センサーの、特に、レーザースキャナーの捕捉領域の間隔画像が、該間隔画像内において、マークされた危険個所、及び／或いは、工事現場を示すための表示を探すために用いられる方法が、既知である。このようなマークされた危険個所、及び／或いは、工事現場を示すための表示の認識のためには、既知のオブジェクト認識、及び／或いは、オブジェクト・トレースの方法が、用いられる。このような表示は、道路管理官庁の規定、或いは、法的な規定、ドイツでは、例えば、「Ｓｔｒａｓｓｅｎｖｅｒｋｅｈｒｓｏｒｄｎｕｎｇ」（ドイツ道路交通法）によって、定められており、例えば、車線上のマーク、バリア、パイロン、或いは、ビーコンであることができるが、後ろの方に挙げた例は、多くの場合、一時的に変更された走行レーン推移を表示するために一時的に設置されるものである。
【先行技術文献】
【特許文献】
【０００３】
【特許文献１】ドイツ特許公開第１０２００４００３８４８Ａ１号明細書
【発明の概要】
【発明が解決しようとする課題】
【０００４】
本発明の課題は、この従来の技術を出発点として、これにより、工事現場のシチュエーションを、街中においてだけでなく、郊外のシナリオにおいてもより良く認識できる冒頭に述べたような方法を提供することである。
【課題を解決するための手段】
【０００５】
本課題は、特許請求項１記載の特徴を持つ方法によって達成される。
【０００６】
少なくとも一つの周辺センサーによって危険個所、及び／或いは、工事現場を示すオブジェクトを認識するこのような車線の領域内にあるマークされた危険個所、及び／或いは、工事現場を認識するための方法は、本発明では、以下を特徴としている：
−  周辺センサーにより信号装置によって検出し、
−  該信号装置のポジションデータを割出し、
−  周辺センサーによって捕捉された周辺データから、周辺ストラクチャーに関する周辺シナリオを割出し、該周辺シナリオの基準モデルと比較し、続いて、
−  該基準モデルに、信号装置が示されない場合、或いは、該信号装置が、認識された信号装置のポジションデータとは異なるポジションデータを示す場合は、危険個所、及び／或いは、工事現場をマークする信号装置であるとする。
【０００７】
本発明は、捕捉され、評価された周辺シナリオにおける信号装置の位置が、このような周辺シナリオにおいて期待される信号装置の位置からずれている場合には、該信号装置（ドイツのガイドラインでは、「Ｌｉｃｈｔｓｉｇｎａｌａｎｌａｇｅ」（ライトシグナル装置）と呼ばれる）の位置を、危険個所、及び／或いは、工事現場のインジケータとして用いることができると言う知見に基づいている。
【０００８】
信号装置は、交差点や合流地点において、定常的に、定まった位置に設置される一方、移動式装置として、狭くなった場所、例えば、工事現場に設置される。例えば、交差点や合流点などを有する周辺ストラクチャー用の信号装置の位置は、既知である、即ち、周辺シナリオの基準モデルに示されている。よって、捕捉された、例えば、交差点などの周辺ストラクチャーから、基準モデルから期待される信号装置の位置を割出すことができ、この位置は、実際に認識された信号装置と比較されることができる。これらのポジションデータが異なる場合、検出された信号装置は、大きな確率で、工事現場用信号、或いは、危険個所を示すための信号装置であろう。また、基準モデルには信号装置が無い場合も、検出された信号装置は、大きな確率で、工事現場用信号、或いは、危険個所を示すための信号装置であろう。
【０００９】
本発明の実施形態において、基準モデルは、ナビゲーションを基にした情報から作成される。近年、車両には通常、ナビゲーション・システムが、備わっていることから、本発明に係る方法は、安価に実施可能である。
【００１０】
認識確実性を改善するため、本発明のある好ましい更なる実施形態では、危険個所、及び／或いは、工事現場をマークする信号装置を認識するために、工事現場特有、及び／或いは、危険個所特有の信号装置の特徴に関してオブジェクト分類が、実施される。このような信号装置は、移動式装置として設置されるため、専用の電源、例えば、バッテリー、或いは、太陽電池パネルを装備していなければならない。バッテリーは、通常、信号装置の足元に設けられるバッテリーケース内に、太陽電池パネルは、通常、シグナルランプの上方に、屋根状に配置される。よって、信号装置の電源に関するこれらの特徴は、信号装置の工事現場特有、及び／或いは、危険個所特有の特徴に分類され、オブジェクト認識ソフトウェアによって、認識されることが可能である。
【００１１】
本発明の好ましい実施形態によれば、基準モデルは、ナビゲーション・データベース内に保存されている道路網のデジタル地図データから作成されるが、ここでは、該デジタル地図データは、工事現場情報も有している。このような地図データは、車両のインフォテイメント・システムに予め保存されている、或いは、オンライン・サービスを介して、コミュニケーション接続により車両へ伝達されることができる。これにより、特に高い認識確実性が、確保される。
【００１２】
更なる危険個所、及び／或いは、工事現場に関する認識確実性の改善は、車載されている異なる認識システムを、本発明のある実施形態に従い、周辺センサーによって捕捉された走行レーンの推移、及び／或いは、認識された走行レーン情報を、危険個所、及び／或いは、工事現場をマークする信号装置の存在を示すインジケータとして用いて、統合することにより達成される。また、代案的、或いは、付加的に、周辺センサーによって捕捉された、認識された標識に関する情報を、このような信号装置を示すインジケータとして用いることもできる。
【００１３】
本発明に係る方法を実施するための手段は、周辺センサーとして、カメラシステム、並びに、それに帰属する、例えば、評価システムやオブジェクト認識システムなどのハードウェアを包含している。このような装置は、内燃自動車、ハイブリッド自動車、或いは、電気自動車などの車両内での使用に適している。
【００１４】
以下、本発明を、図１として添付したフローチャートを参照しながら詳しく説明する。
【図面の簡単な説明】
【００１５】
【図１】本発明による方法のフローチャート図
【発明を実施するための形態】
【００１６】
図１によって実施例として記述されている車線の領域内にあるマークされた危険個所、及び／或いは、工事現場を認識するための方法は、周辺センサーとして、そのセンサーシグナルが、評価のために、評価ユニット、並びに、オブジェクト認識ユニットに供給されるモノカメラ、或いは、ステレオカメラを備えた、車載された装置によって実施される。付加的に、例えば、レーダー・センサーなど更なる周辺センサーを用いることも可能である。
【００１７】
開始（ステップＳ１）後、車両周辺部、即ち、周辺センサーの捕捉領域内にある周辺が、周辺センサーによって、ステップＳ２に従って、捕捉され、評価される。続くステップＳ３に従って、信号装置が認識された場合、次のステップＳ４において、そのポジションデータが割出され、逆に、信号装置が、認識されなかった場合は、ステップＳ２に戻る。
【００１８】
次のステップＳ５では、周辺シナリオの分類、並びに、基準モデルの割出しが、実施される。周辺センサーによって捕捉された周辺シナリオは、周辺ストラクチャーに関して、即ち、例えば、交差点、或いは、合流点の有無、或いは、道路区間、或いは、車線区間が単に続いているだけなのか否かが、検出され、分類される。そして、周辺シナリオのこの分類に応じて、該周辺シナリオを表す基準モデルが、割出される、或いは、選択される。尚、対応する基準モデルは、例えば、評価ユニット、並びに、オブジェクト認識ユニットのメモリーに保存されていることができる。
【００１９】
このような基準モデルは、ナビゲーションを基にした情報から作成されることができるが、このような情報は、例えば、車両のナビゲーション・システムから得られるものである。更には、該基準モデルを、ナビゲーション・データベース内に保存されている道路網のデジタル地図データから作成することも可能であるが、ここでは、該デジタル地図データは、工事現場情報も有している。このような地図データは、車両のインフォテイメント・システムに予め保存されている、或いは、オンライン・サービスを介して、ワイヤレス・コミュニケーション接続により車両へ伝達されることができる。
【００２０】
ステップＳ６では、基準モデルが、信号装置を示すか否かが確かめられる。ステップＳ５に従って割出された基準モデルが、信号装置を示さない場合、ステップＳ３において認識された信号装置は、高い確率で、ステップＳ９によって、工事現場用信号、或いは、危険個所を示すための信号装置であると言える。続くステップＳ１０において、本方法は、終了する、或いは、ステップＳ２に戻る。
【００２１】
一方、基準モデルが、信号装置を示す場合、続くステップＳ７において、基準モデルからの信号装置のポジションデータが、ステップＳ３において認識された信号装置のポジションデータと比較される。
【００２２】
続くステップＳ８において、一致が確認された場合、これは、周辺ストラクチャーに見合った信号装置である、即ち、交差点の信号であり、工事現場用信号、或いは、危険個所を示すための信号装置ではないとされる。よって、ここから、ステップＳ２に戻る。
【００２３】
一方、ポジションデータの一致が見られない場合、これは、ステップＳ３において認識された信号装置が、周辺ストラクチャーに見合った信号装置ではない、即ち、ステップＳ９に従って、高い確率で、工事現場用信号、或いは、危険個所を示すための信号装置であると言える。続くステップＳ１０において、本方法は、終了する、或いは、ステップＳ２に戻る。
【００２４】
ここに記述した方法は、危険個所、及び／或いは、工事現場をマークする信号装置を認識するために、工事現場特有、及び／或いは、危険個所特有の信号装置の特徴に関してオブジェクトの分類を実施することにより、改善することが可能である。このような信号装置は、移動式装置として設置されるため、専用の電源、例えば、バッテリー、或いは、太陽電池パネルを装備していなければならない。バッテリーは、通常、信号装置の足元に設けられるバッテリーケース内に、太陽電池パネルは、通常、シグナルランプの上方に、屋根状に配置される。よって、信号装置の電源に関するこれらの特徴は、信号装置の工事現場特有、及び／或いは、危険個所特有の特徴に分類され、オブジェクト認識ソフトウェアによって、認識されることが可能である。
【００２５】
記述した方法を、危険個所、及び／或いは、工事現場の認識に対する認識確実性の改善に関連して更に改善することは、車載されている異なる認識システムを、周辺センサーによって捕捉された走行レーンの推移、及び／或いは、認識された走行レーン情報を危険個所、及び／或いは、工事現場をマークする信号装置の存在用の情報を、インジケータとして用いて、統合することにより達成される。走行レーン情報は、例えば、レーンマークの色を包含している。また、代案的、或いは、付加的に、周辺センサーによって捕捉された、認識された標識に関する情報を、危険個所、及び／或いは、工事現場をマークする信号装置を示すインジケータとして用いることもできる。
【図１】
2015535106.tif 000003
【国際調査報告】
2015535106.tif 000004
2015535106.tif 000005
2015535106.tif 000006
2015535106.tif 000007